(57)【要約】  本発明は、タイプの異なる複数の光源によって形成されかつユニット（１）に入射する電磁ビーム（２）において、優位を占める光源のタイプを求めるユニット（１）に関する。このユニットは、可視スペクトル領域における電磁ビームを検出して、第１出力信号（１１）を形成するように構成された少なくとも１つの第１フォトダイオード（１０）を有している。このユニットは、赤外スペクトル領域における電磁ビームを検出して、第２出力信号（２１）を形成するように構成された少なくとも１つの第２フォトダイオード（２０）を有している。このユニットは、第１出力信号（１１）および第２出力信号（２１）から除算結果（２３）および周波数結果（１３）を導出するように構成された少なくとも１つの計算ユニット（３０）を有している。この周波数結果により、あらかじめ設定した周波数領域の信号成分が上記の電磁ビームに含まれているか否かについての情報が得られる。上記のユニットは、上記の除算結果（２３）および周波数結果（１３）から上記の優位を占める光源のタイプを導出するように構成された少なくとも１つの評価ユニット（４０）を有する。
2014509746.tif 000002
【特許請求の範囲】
【請求項１】
タイプの異なる複数の光源によって形成されかつユニット（１）に入射する電磁ビーム（２）において、優位を占める光源のタイプを求めるユニット（１）において、
−  可視スペクトル領域における電磁ビームを検出して、第１出力信号（１１）を形成するように構成された少なくとも１つの第１フォトダイオード（１０）と、
−  赤外スペクトル領域における電磁ビームを検出して第２出力信号（２１）を形成するために構成されている少なくとも１つの第２フォトダイオード（２０）と、
−  前記第１出力信号（１１）および前記第２出力信号（２１）から除算結果（２３）および周波数結果（１３）を導出するように構成された少なくとも１つの計算ユニット（３０）とを有しており、ただし、前記周波数結果（１３）は、あらかじめ設定した周波数領域の信号成分が前記電磁ビームに含まれているかの有無についての情報を示すものであり、
前記ユニット（１）はさらに
−  前記除算結果（２３）および前記周波数結果（１３）から前記優位を占める光源のタイプを導出するように構成された少なくとも１つの評価ユニット（４０）を有する、
ことを特徴とするユニット（１）。
【請求項２】
請求項１に記載のユニットにおいて、
第１センサ（１０）、第２センサ（２０）、計算ユニット（３０）および評価ユニット（４０）は、ただ１つの集積回路によって実現されている、
ことを特徴とするユニット。
【請求項３】
請求項１または２に記載のユニットにおいて、
前記計算ユニット（３０）は、第１下位ユニット（３１）を有しており、当該第１下位ユニット（３１）は、前記周波数結果（１３）を導き出して、当該周波数結果（１３）により、あらかじめ設定した周波数領域に第１出力信号（１１）の成分が存在するか否かについての情報が示されるように構成されている、
ことを特徴とするユニット。
【請求項４】
請求項３に記載のユニットにおいて、
前記第１下位ユニット（３１）は、第１算出ユニット（３１ａ）を有しており、
該第１算出ユニット（３１ａ）は、前記第１出力信号（１１）の直流成分をローパスフィルタによって、前記第１出力信号（１１）の５０Ｈｚないしは６０Ｈｚにおける周波数成分をバンドパスフィルタによって、前記第１出力信号（１１）のｋＨｚ領域における周波数成分をハイパスフィルタによって互いに分離できるように構成され、かつ、あらかじめ設定されたフィルタを有する、
ことを特徴とするユニット。
【請求項５】
請求項３に記載のユニットにおいて、
前記第１下位ユニット（３１）は、前記第１出力信号（１１）を積分するように構成された第１算出ユニット（３１ａ）を有している、
ことを特徴とするユニット。
【請求項６】
請求項５に記載のユニットにおいて、
前記第１算出ユニット（３１ａ）は、相異なる時定数で複数の積分を行うように構成されている、
ことを特徴とするユニット。
【請求項７】
請求項６に記載のユニットにおいて、
前記第１算出ユニット（３１ａ）は、第１の積分を第１の時定数で行って、前記第１出力信号（１１）が０Ｈｚ付近のスペクトル成分を有するか否かについての情報を周波数値（１２）が有するように構成されている、
ことを特徴とするユニット。
【請求項８】
請求項６または７に記載のユニットにおいて、
前記第１算出ユニット（３１ａ）は、第２の積分を第２の時定数で行い、前記第１出力信号（１１）が５０Ｈｚないしは６０Ｈｚにおけるスペクトル成分を有するか否かについての情報を前記周波数値（１２）が有するように構成されている、
ことを特徴とするユニット。
【請求項９】
請求項６から８までのいずれか１項に記載のユニットにおいて、
前記第１算出ユニット（３１ａ）は、第３の積分を第３の時定数で行い、前記第１出力信号（１１）が殊に約３００ｋＨｚ付近のようなｋＨｚ領域におけるスペクトル成分を有する否かについての情報を前記周波数値（１２）が有するように構成されている、
ことを特徴とするユニット。
【請求項１０】
請求項１から９までのいずれか１項に記載のユニットにおいて、
前記第１下位ユニット（３１）は第１比較ユニット（３１ｂ）を有しており、
該第１比較ユニット（３１ｂ）は、前記周波数値（１２）と、少なくとも１つの閾値と比較して、当該比較結果から周波数結果（１３）を導出するように構成されている、
ことを特徴とするユニット。
【請求項１１】
請求項１から１０までのいずれか１項に記載のユニットにおいて、
前記計算ユニット（３０）は、第２算出ユニット（３２ａ）を備えた第２下位ユニット（３２）を有しており、
前記第２算出ユニット（３２ａ）は、前記第１出力信号（１１）の直流成分と、前記第２出力信号（２１）の直流成分とから除算値（２２）を導出するように構成されている、
ことを特徴とするユニット。
【請求項１２】
請求項１から１１までのいずれか１項に記載のユニットにおいて、
前記第２下位ユニット（３２）は第２比較ユニット（３２ｂ）を有しており、
前記第２比較ユニット（３２ｂ）は、前記除算値（２２）と、少なくとも１つの閾値とを比較して、当該比較結果から除算結果（２３）を導出するように構成されている、
ことを特徴とするユニット。
【請求項１３】
請求項１から１２までのいずれか１項に記載のユニットにおいて、
前記評価ユニット（４０）は、前記周波数結果（１３）の考えられ得る各値および前記除算結果（２３）の考えられ得る各値に対し、前記優位を占める光源のタイプを示す最終値（６０）を記憶ユニット（５０）から読み出すように構成されている、
ことを特徴とするユニット。
【請求項１４】
請求項１から１３までのいずれか１項に記載のユニットにおいて、
前記評価ユニット（４０）は、前記周波数結果（１３）および除算結果（２３）と、相異なる光源のタイプとの対応付けを含む２次元判定マトリクス（４１）を有する、
ことを特徴とするユニット。
【請求項１５】
複数の光源によって形成されかつユニット（１）に入射する電磁ビーム（２）において、優位を占める光源のタイプを求める測定方法において、
該測定方法は、
−  可視スペクトル領域における電磁ビームを検出して第１出力信号（１１）を形成するステップと、
−  赤外スペクトル領域における電磁ビームを検出して第２出力信号（２１）を形成するステップと、
−  あらかじめ設定した周波数領域の信号成分が前記電磁ビーム（２）に含まれているか否かについての情報を示す周波数結果（１３）および除算結果（２３）を前記第１出力信号（１１）および前記第２出力信号（２１）から導出するステップと、
−  前記除算結果（２３）および前記周波数結果（１３）から前記優位を占める光源のタイプを導出するステップとを有する、
ことを特徴とする測定方法。
【発明の詳細な説明】
【技術分野】
【０００１】
本発明は、相異なるタイプの多数の光源から、優位を占める光源のタイプを求めるためのセンサに関する。さらにここでは測定方法が提供される。
【０００２】
従来技術からは、完全なスペクトル的解析を行う、殊にカラーセンサのようなセンサが公知である。
【０００３】
ここでの問題は、これらのセンサが高価であり、ひいては製造にコストがかかることである。
【０００４】
この問題は、独立請求項１に記載されたセンサないしは１５に記載されたセンサおよびセンサを製造するための測定方法によって解決される。
【０００５】
上記のセンサの有利な実施形態は、従属請求項に記載されている。
【０００６】
例示的な実施形態
相異なる実施形態には、ユニットに入射する電磁ビームにおいて、優位を占める光源のタイプを求めるユニットが含まれている。この電磁ビームは、相異なるタイプの多数の光源から形成される。このユニットは、可視スペクトル領域における電磁ビームを検出して、第１出力信号を形成するように構成された少なくとも１つの第１フォト検出器を有している。上記のユニットは、赤外スペクトル領域における電磁ビームを検出して、第２出力信号を形成するように構成された少なくとも１つの第２フォト検出器を有している。上記ユニットは、第１および第２出力信号から除算結果および周波数結果を導出するように構成された少なくとも１つの計算ユニットを有している。上記の周波数結果により、あらかじめ設定した周波数領域の信号成分が上記の電磁ビームに含まれている否かについての情報が得られる。上記のユニットは、上記の除算結果および周波数結果から上記の優位を示す光源を導き出すように構成された評価ユニットを有する。
【０００７】
上記の優位な光源のタイプについての知識は、色印象を正確に再現するために写真における最適な照明および光スペクトルの再構成に役立つ。これにより、例えばカメラにおけるＩＲ光のフィルタリングを省略することができる。ディスプレイおよびプロジェクタの色表示は、上記の優位を占める光源に依存して補正される。
【０００８】
双方のフォトダイオードは、シリコンダイオードに基づいている。
【０００９】
第１フォトダイオードは、明所視フィルタを有している。このことは、このフォトダイオードが人間の眼のスペクトル感度に適合されていることを意味する。このようなフォトダイオードは、周辺光ダイオードとも称される。このフォトダイオードは、約５５０ｎｍの波長においてその最大感度を有しており、約４００ｎｍと７００ｎｍとの間で測定を行う。第１フォトダイオードの感度は、誘電体層の個数およびタイプによって調整可能である。
【００１０】
第２フォトダイオードは赤外フィルタを有する。このフォトダイオードは、約８６０ｎｍの波長においてその最大感度を有しており、約８００ｎｍと約９００ｎｍの間で測定を行う。この赤外線センサの感度は、誘電体層の個数およびタイプによるか、または昼光遮断フィルタを使用することによって調整される。
【００１１】
有利な実施形態では、第１および第２フォトダイオードと、計算ユニットと、評価ユニットとは、ただ１つの集積回路によって実現される。このようにすることの利点は、上記のセンサを極めて小さなスペースに実現できることである。
【００１２】
有利な実施形態において上記の計算ユニットは、第１下位ユニットを有しており、この第１下位ユニットは、上記の周波数結果を導き出し、この周波数結果により、あらかじめ設定した周波数領域に第１出力信号の成分が存在するか否かについての情報が得られるように構成されている。
【００１３】
有利な１つの実施形態において、上記の第１下位ユニットは、あらかじめ設定した電気フィルタを有する第１算出ユニットを有する。この電気フィルタは、第１出力信号の直流成分をローパスフィルタによって、５０Ｈｚおよび／または６０Ｈｚにおける第１出力信号の周波数成分をバンドパスフィルタによって、またｋＨｚ領域における第１出力信号の周波数成分をハイパスフィルタによって互いに分離可能にするように構成されている。電気フィルタの使用は殊に有利である。なぜならば電気フィルタは簡単かつコスト的に有利に実現できるからである。
【００１４】
択一的な有利な実施形態において、第１下位ユニットは、第１出力信号を積分するように構成された第１算出ユニットを有している。
【００１５】
有利な実施形態において、第１算出ユニットは、相異なる時定数で複数の積分を行うように構成されている。積分時間に対する信号の大きさに依存性から、上記の信号がどの周波数によって変調されたかを決定することができる。上記の複数の積分は、同時または順次に相前後して行うことができる。
【００１６】
有利な実施形態において、第１算出ユニットは、第１の時定数で第１の積分を行って、第１出力信号が０Ｈｚ付近の周波数成分を有するか否かについての情報を上記の周波数値が有するように構成される。
【００１７】
有利な実施形態において、第１算出ユニットは、第２の時定数で第２の積分を行って、第１出力信号が５０ないしは６０Ｈｚ付近の周波数成分を有するか否かについての情報を上記の周波数値が有するように構成される。
【００１８】
有利な実施形態において、第１算出ユニットは、第３の時定数で第３の積分を行って、第１出力信号が、殊に約３００ｋＨｚ付近のようなｋＨｚ領域の周波数のスペクトル成分を有するか否かについての情報を上記の周波数値が有するように構成される。
【００１９】
有利な実施形態において上記の第１下位ユニットは第１比較ユニットを有する。この第１比較ユニットは、上記の周波数値と、少なくとも１つの閾値とを比較して、この比較結果から周波数結果を導出するように構成されている。
【００２０】
有利な実施形態において、上記の計算ユニットは、第２算出ユニットを備えた第２下位ユニットを有しており、この第２算出ユニットは、第１出力信号と第２出力信号とから得られる上記の除算値を導出するように構成されている。
【００２１】
有利な実施形態において、第２下位ユニットは、第２比較ユニットを有しており、この第２比較ユニットは、上記の除算値と、少なくとも１つの閾値とを比較して、この比較結果から除算結果を導出するように構成されている。
【００２２】
有利な１つの実施形態において、上記の評価ユニットは、上記の周波数結果の考えられ得る各値に対し、また除算結果の考えられ得る各値に対し、記憶ユニットから最終値を読み出すように構成されている。この最終値により、優位を占める光源のタイプが得られ、これは上記の周波数結果および除算結果の値から導出される。
【００２３】
有利な実施形態において、上記の評価ユニットは、周波数結果および除算結果と、相異なる光源のタイプとの対応付けを含む２次元判定マトリクスを有する。
【００２４】
本発明では、多数の光源によって形成されかつユニットに入射する電磁ビームにおいて、優位を示す光源を求める測定方法が提供される。ここでは、可視スペクトル領域の電磁ビームが検出されて第１出力信号が形成される。ここではまた赤外スペクトル領域における電磁ビームが検出されて第２出力信号が形成される。これに続いて第１および第２出力信号から、あらかじめ設定した周波数領域の信号成分が上記の電磁ビームに含まれるか否かについての情報を示す周波数結果および除算結果が求められる。これに続いてこの除算結果および周波数結果から、上記の優位を占める光源のタイプを導出する。
【図面の簡単な説明】
【００２５】
【図１】相異なる光源のスペクトルを示す線図である。
【図２】白色ＬＥＤのスペクトルと、人間の眼のスペクトル感度との比較を示す線図である。
【図３】相異なる光源のスペクトルを示す線図である。
【図４】本発明によるユニットを示す図である。
【図５】第１マトリクスを示す図である。
【図６】第１マトリクスから導出した第２マトリクスを示す図である。
【００２６】
以下では図面に基づいて本発明による解決手段の相異なる実施例を詳しく説明する。
【００２７】
オプトエレクトロニクス素子の実施例
同じ素子または機能が同じ素子は、複数の図面において同じ参照符号が付されている。上記の図面およびこれらの図面に示した素子の大きさの比は、縮尺通りと見なすべきではない。むしろ個々の素子は、図示し易くするためおよび理解し易くするため、誇張されて大きく示されていることがある。
【００２８】
図１には相異なる光源のスペクトルが示されている。蛍光ランプ１００のスペクトルは、可視スペクトル領域において、すなわち３９０ｎｍ〜７８０ｎｍの波長間に高い強度を示している。赤外スペクトル領域において、すなわち７８０ｎｍよりも長い波長に対し、蛍光ランプ１００のスペクトルは、ほぼ強度が消えている。太陽光１０１のスペクトルは、可視領域において大きな強度を示しており、赤外スペクトル領域において小さな強度を示している。熱放射器１０２のスペクトルは、２８５６ケルビンの温度において、約１０００ｎｍの波長まで連続的に増大している。白熱ランプ１０３のスペクトルは、熱放射器１０２のスペクトルに対して実質的に平行に経過している。
【００２９】
図２には、温白色を放射するＬＥＤ２００のスペクトルと、人間の眼のスペクトル感度の曲線２０１との比較が示されている。温白色を放射するＬＥＤ２００のスペクトルの主極大は、約５９０ｎｍの波長にあり、副極大は、４６０ｎｍの波長の青色スペクトル領域にある。
【００３０】
図３には、相異なる光源の周波数が示されている。懐中電灯３００の光、直流によって駆動されるＬＥＤ３０１の光および光学ベンチ３０４の光は変調されていないため、周波数は０Ｈｚである。蛍光ランプ３０２の光、白熱ランプ３０３の光、エネルギ節約ランプ３０５の光は、それぞれ５０Ｈｚの周波数によって変調されている。
【００３１】
図４には、タイプの異なる多数の光源によって形成されかつユニット１に入射する電磁ビーム２において優位を占める光源のタイプを求めるユニット１が示されている。このユニットは、可視スペクトル領域における電磁ビームを検出して第１出力信号１１を形成するために構成されている第１フォトダイオード１０を有する。さらにユニット１は、赤外スペクトル領域における電磁ビームを検出して第２出力信号２１を形成するために構成されている第２フォトダイオード２０を有する。このユニットは、第１出力信号１１と第２出力信号２１から除算結果２３および周波数結果１３を導出するように構成された計算ユニット３０を有する。周波数結果１３により、あらかじめ設定した周波数領域の信号成分が上記の電磁ビームに含まれているか否かについての情報が得られる。ユニット１は、上記の除算結果２３および周波数結果１３から優位を占める光源のタイプを導出するように構成された評価ユニット４０を有する。
【００３２】
第１フォトダイオード１０、第２フォトダイオード２０、計算ユニット３０および評価ユニット４０は、ただ１つの集積回路によって実現される。計算ユニット３０は第１下位ユニット３１を有しており、この第１下位ユニットは、周波数結果３１を導出して、この周波数結果により、あらかじめ設定した周波領域に第１出力信号１１の成分があるか否かについての情報が示されるように構成されている。第１下位ユニット３１は、第１算出ユニット３１ａを有しており、この第１算出ユニットは、あらかじめ設定した電気フィルタを有する。上記の電気フィルタは、第１出力信号１１の直流成分をローパスフィルタによって、第１出力信号１１の５０Ｈｚないしは６０Ｈｚにおける周波数成分をバンドパスフィルタによって、また第１出力信号１１のｋＨｚ領域における周波数成分をハイパスフィルタによって互いに分離するように構成されている。択一的には第１下位ユニット３１は、第１算出ユニット３１ａを有しており、この第１算出ユニットは、第１出力信号１１を積分するように構成されている。第１算出ユニット３１ａは、相異なる時定数で複数の積分を行うように構成されている。第１の時定数による第１の積分は、第１出力信号１１が０Ｈｚ付近のスペクトル成分を有するか否かについての情報を周波数値１２が有するように行われる。第２の時定数による第２の積分は、第１出力信号１１が、５０ないしは６０Ｈｚにおけるスペクトル成分を有するか否かについての情報を周波数値１２が有するように行われる。第３の時定数による第３の積分は、第１出力信号１１が、殊に約３００ｋＨｚ付近のｋＨｚ領域におけるスペクトル成分を有する否かについての情報を周波数値１２が有するように行われる。
【００３３】
第１下位ユニット３１は、周波数値１２と少なくとも１つの閾値とを比較して、この比較結果から周波数結果１３を導出するように構成されている第１比較ユニット３１ｂを有している。
【００３４】
計算ユニット３０は、第２算出ユニット３２ａを備えた第２下位ユニット３２を有している。算出ユニット３２ａは、第１出力信号１１の直流成分および第２出力信号２１の直流成分から除算値２２を導出するように構成されている。
【００３５】
第２下位ユニット３２は、第２比較ユニット３２ｂを有しており、この第２比較ユニットは、上記の除算値２２と、少なくとも１つの閾値とを比較して、この比較結果から除算結果２３を導出するように構成されている。
【００３６】
評価ユニット４０は、周波数結果１３の考えられ得る各値に対し、また除算結果２３の考えられ得る各値に対し、記憶ユニット５０から最終値６０を読み出すように構成されている。この最終値６０により、上記の優位を占める光源のタイプが得られこれはこれらの周波数結果１３および除算結果２３の値から得られる。
【００３７】
評価ユニット４０は、周波数結果１３および除算結果２３と、相異なる光源のタイプとの対応付けを含む判定マトリクス４１を有している。
【００３８】
図５には、相異なる光源に対し、可視スペクトル領域における第１出力信号１１の直流成分に対する値と、赤外スペクトル領域における第２出力信号２１の直流成分に対する値と、ここでは除算結果と称される第１出力信号１１の直流成分と、第２出力信号２１の直流成分との比に対する値と、上記の周波数結果に対する値とが示されている。
【００３９】
図６には、周波数結果１３および除算結果２３と、相異なる光源のタイプとの対応付けを含む２次元の判定マトリクス４１が示されている。除算結果２３は、第２出力信号２１の直流成分を第１出力信号１１の直流成分によって除算することによって形成される。除算結果２３は、極めて小、小、大の値を取り得る。周波数結果１３は、ｋＨｚ領域にあるか、５０Ｈｚないしは６０Ｈｚにあるか、または０Ｈｚになり得る。太陽光の除算結果２３は小であり、周波数結果１３は０Ｈｚを有する。白熱ランプの除算結果２３は大であり、周波数結果１３は、５０ないしは６０Ｈｚを有する。懐中電灯の除算結果２３は大であり、周波数結果１３は０Ｈｚを有する。蛍光ランプの除算結果２３は、極めて小であり、５０ないしは６０Ｈｚに周波数結果１３を有する。パルス駆動される白色ＬＥＤの除算結果２３は極めて小であり、殊に３００ｋＨｚ付近のｋＨｚ領域における周波数結果１３を有する。直流によって駆動される白色ＬＥＤの除算結果２３は極めて小であり、０Ｈｚの周波数結果とを有する。
【００４０】
ベースとなるアイデアを説明するため、いくつかの実施例に基づいて上記のユニットを説明した。ここでこれらの実施例は、所定の特徴的構成の組み合わせに限定されるものではない。特別な１つの実施例またはいくつかの実施例だけに関連していくつかの特徴的構成および実施形態を説明した場合であっても、これらはそれぞれ、別の実施例の別の特徴的構成と組み合わせることができる。上記の一般的な技術的事項が実現されていれば、複数の実施例において個々に示した特徴的構成または特定の実施形態を省略するかまたは追加することも考えられる。
【００４１】
センサの測定方法のステップが所定の順序で説明されている場合であっても、明らかであるのは、ここで説明した複数の方法のうちのそれぞれの方法はそれぞれ、目的にかなう別の順序で実行することができることであり、上で説明した技術的事項から逸脱しないのであれば、複数のステップを省略または追加することができる。
【符号の説明】
【００４２】
１  ユニット／センサ、  ２  入射電磁ビーム、  １０  第１フォトダイオード、  １１  第１出力信号、  １２  周波数値、  １３  周波数結果、  ２０  第２フォトダイオード、  ２１  第２出力信号、  ２２  除算値、  ２３  除算結果、  ３０  計算ユニット、  ３１  第１下位ユニット、  ３１ａ  第１算出ユニット、  ３１ｂ  第１比較ユニット３１ｂ、  ３２  第２下位ユニット、  ３２ａ  第２算出ユニット、  ３２ｂ  第２比較ユニット、  ４０  評価ユニット、  ４１  判定マトリクス、  ５０  記憶ユニット、  ６０  最終値、  １００  蛍光ランプのスペクトル、  １０１  太陽光のスペクトル、  １０２  ２８５６Ｋの熱ビームのスペクトル、  １０３  白熱ランプのスペクトル、  ２００  白色ＬＥＤのスペクトル、  ２０１  スペクトル的な眼の感度、  ３００  懐中電灯の周波数、  ３０１  ＯＳＴＡＲ−ＬＥＤの周波数、  ３０２  蛍光灯の周波数、  ３０３  白熱ランプの周波数、  ３０４  光学ベンチの周波数（電流一定のタングステンランプ）、  ３０５  エネルギ節約ランプの周波数
【図１】
2014509746.tif 000003
【図２】
2014509746.tif 000004
【図３】
2014509746.tif 000005
【図４】
2014509746.tif 000006
【図５】
2014509746.tif 000007
【図６】
2014509746.tif 000008
【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
タイプの異なる複数の光源によって形成されかつユニット（１）に入射する電磁ビーム（２）において、優位を占める光源のタイプを求めるユニット（１）において、
−  可視スペクトル領域における電磁ビームを検出して、第１出力信号（１１）を形成するように構成された少なくとも１つの第１フォトダイオード（１０）を有しており、ただし前記第１フォトダイオードは、周囲光ダイオードとして構成されているため、当該第１フォトダイオードは人間の眼のスペクトル感度に適合されており、
前記ユニット（１）はさらに
−  赤外スペクトル領域における電磁ビームを検出して第２出力信号（２１）を形成するために構成されている少なくとも１つの第２フォトダイオード（２０）と、
−  前記第１出力信号（１１）および前記第２出力信号（２１）から除算結果（２３）および周波数結果（１３）を導出するように構成された少なくとも１つの計算ユニット（３０）とを有しており、ただし、前記周波数結果（１３）は、あらかじめ設定した周波数領域の信号成分が前記電磁ビームに含まれているかの有無についての情報を示すものであり、
前記ユニット（１）はさらに
−  前記除算結果（２３）および前記周波数結果（１３）から前記優位を占める光源のタイプを導出するように構成された少なくとも１つの評価ユニット（４０）を有する、
ことを特徴とするユニット（１）。
【請求項２】
請求項１に記載のユニットにおいて、
前記第１フォトダイオード（１０）は、約５５０ｎｍの波長において最大感度を有しており、かつ、４００ｎｍ〜７００ｎｍの波長を有するビーム成分を測定する、
ことを特徴とするユニット。
【請求項３】
請求項１または２に記載のユニットにおいて、
前記計算ユニット（３０）は、前記周波数結果（１３）を求めるための第１下位ユニット（３１）を有しており、
前記第１下位ユニットは、前記第１出力信号を変調する周波数を決定するために前記第１出力信号（１１）を相異なる時定数で積分するように構成されている、
ことを特徴とするユニット。
【請求項４】
請求項１から３までのいずれか１項に記載のユニットにおいて、
第１センサ（１０）、第２センサ（２０）、計算ユニット（３０）および評価ユニット（４０）は、ただ１つの集積回路によって実現されている、
ことを特徴とするユニット。
【請求項５】
請求項１から４までのいずれか１項に記載のユニットにおいて、
前記計算ユニット（３０）は、第１下位ユニット（３１）を有しており、当該第１下位ユニット（３１）は、前記周波数結果（１３）を導き出して、当該周波数結果（１３）により、あらかじめ設定した周波数領域に第１出力信号（１１）の成分が存在するか否かについての情報が示されるように構成されている、
ことを特徴とするユニット。
【請求項６】
請求項５に記載のユニットにおいて、
前記第１下位ユニット（３１）は、第１算出ユニット（３１ａ）を有しており、
該第１算出ユニット（３１ａ）は、前記第１出力信号（１１）の直流成分をローパスフィルタによって、前記第１出力信号（１１）の５０Ｈｚないしは６０Ｈｚにおける周波数成分をバンドパスフィルタによって、前記第１出力信号（１１）のｋＨｚ領域における周波数成分をハイパスフィルタによって互いに分離できるように構成され、かつ、あらかじめ設定されたフィルタを有する、
ことを特徴とするユニット。
【請求項７】
請求項５に記載のユニットにおいて、
前記第１下位ユニット（３１）は、前記第１出力信号（１１）を積分するように構成された第１算出ユニット（３１ａ）を有している、
ことを特徴とするユニット。
【請求項８】
請求項７に記載のユニットにおいて、
前記第１算出ユニット（３１ａ）は、相異なる時定数で複数の積分を行うように構成されている、
ことを特徴とするユニット。
【請求項９】
請求項８に記載のユニットにおいて、
前記第１算出ユニット（３１ａ）は、第１の積分を第１の時定数で行って、前記第１出力信号（１１）が０Ｈｚ付近のスペクトル成分を有するか否かについての情報を前記周波数値（１２）が有するように構成されている、
ことを特徴とするユニット。
【請求項１０】
請求項８または９に記載のユニットにおいて、
前記第１算出ユニット（３１ａ）は、第２の積分を第２の時定数で行い、前記第１出力信号（１１）が５０Ｈｚないしは６０Ｈｚにおけるスペクトル成分を有するか否かについての情報を周波数値（１２）が有するように構成されている、
ことを特徴とするユニット。
【請求項１１】
請求項８から１０までのいずれか１項に記載のユニットにおいて、
前記第１算出ユニット（３１ａ）は、第３の積分を第３の時定数で行い、前記第１出力信号（１１）が、ｋＨｚ領域におけるスペクトル成分を有する否かについての情報を前記周波数値（１２）が有するように構成されている、
ことを特徴とするユニット。
【請求項１２】
請求項１１に記載のユニットにおいて、
前記周波数値（１２）は、前記第１出力信号（１１）が３００ｋＨｚ付近のスペクトル成分を有するか否かについての情報を有する、
ことを特徴とするユニット。
【請求項１３】
請求項１から１２までのいずれか１項に記載のユニットにおいて、
前記第１下位ユニット（３１）は第１比較ユニット（３１ｂ）を有しており、
該第１比較ユニット（３１ｂ）は、前記周波数値（１２）と、少なくとも１つの閾値と比較して、当該比較結果から前記周波数結果（１３）を導出するように構成されている、
ことを特徴とするユニット。
【請求項１４】
請求項１から１３までのいずれか１項に記載のユニットにおいて、
前記計算ユニット（３０）は、第２算出ユニット（３２ａ）を備えた第２下位ユニット（３２）を有しており、
前記第２算出ユニット（３２ａ）は、前記第１出力信号（１１）の直流成分と、前記第２出力信号（２１）の直流成分とから除算値（２２）を導出するように構成されている、
ことを特徴とするユニット。
【請求項１５】
請求項１から１４までのいずれか１項に記載のユニットにおいて、
前記第２下位ユニット（３２）は第２比較ユニット（３２ｂ）を有しており、
前記第２比較ユニット（３２ｂ）は、前記除算値（２２）と、少なくとも１つの閾値とを比較して、当該比較結果から前記除算結果（２３）を導出するように構成されている、
ことを特徴とするユニット。
【請求項１６】
請求項１から１５までのいずれか１項に記載のユニットにおいて、
前記評価ユニット（４０）は、前記周波数結果（１３）の考えられ得る各値および前記除算結果（２３）の考えられ得る各値に対し、前記優位を占める光源のタイプを示す最終値（６０）を記憶ユニット（５０）から読み出すように構成されている、
ことを特徴とするユニット。
【請求項１７】
請求項１から１６までのいずれか１項に記載のユニットにおいて、
前記評価ユニット（４０）は、前記周波数結果（１３）および除算結果（２３）と、相異なる光源のタイプとの対応付けを含む２次元判定マトリクス（４１）を有する、
ことを特徴とするユニット。
【請求項１８】
複数の光源によって形成されかつユニット（１）に入射する電磁ビーム（２）において、優位を占める光源のタイプを求める測定方法において、
該測定方法は、
−  可視スペクトル領域における電磁ビームを検出して第１出力信号（１１）を形成するステップと、
−  赤外スペクトル領域における電磁ビームを検出して第２出力信号（２１）を形成するステップと、
−  あらかじめ設定した周波数領域の信号成分が前記電磁ビーム（２）に含まれているか否かについての情報を示す周波数結果（１３）および除算結果（２３）を前記第１出力信号（１１）および前記第２出力信号（２１）から導出するステップと、
−  前記除算結果（２３）および前記周波数結果（１３）から前記優位を占める光源のタイプを導出するステップとを有する、
ことを特徴とする測定方法。
【国際調査報告】
2014509746.tif 000009
2014509746.tif 000010
2014509746.tif 000011
2014509746.tif 000012
2014509746.tif 000013
2014509746.tif 000014
2014509746.tif 000015
2014509746.tif 000016
2014509746.tif 000017